(57)【要約】【課題】  ノイズ吸収性に加えて、防塵性，防滴性，防虫性に優れたケーブルブッシュを提供する。【解決手段】  ケーブルブッシュ１を構成する保持ケース２，磁性体コア７は、２分割された一対の分割ケース２ａ，２ｂ、及び一対の分割コア７ａ，７ｂからなる。そして、磁性体コア７の中空部分に配置される弾性部材９ａ，９ｂは、分割コア７ａ，７ｂの凹面７３ａ，７３ｂにそれぞれ接着され、その形状は、分割ケース２ａ，２ｂを閉じ合わせた時に互いに接触する合わせ面９１ａ，９１ｂの部分が、分割コア７ａ，７ｂの分割面７１ａ，７１ｂより突出した形状を有する。また、弾性部材９ａ，９ｂの合わせ面９１ａ，９１ｂには、磁性体コア７の軸方向に沿った複数本の縦スリットＳ１と、磁性体コア７の径方向に沿った一本の横スリットＳ２とが形成されている。【選択図】  図２
2006049705.tif 000002
【特許請求の範囲】
【請求項１】
電線の外周部を包囲する形状に形成された磁性体コアを、軸方向に沿って分割した形状を有する一対の分割コアと、
該一対の分割コアをそれぞれ収納する一対の分割ケースを有し、該一対の分割ケースを閉じ合わせた状態では、前記一対の分割コアを電線の外周部を包囲する形状に保持する樹脂製の保持ケースと、
を備え、筐体から電線を取り出す電線取出口に装着して、前記電線に流れる雑音電流を吸収するケーブルブッシュにおいて、
前記一対の分割コアのそれぞれに取り付けられ、前記一対の分割ケースを閉じ合わせた時に互いに接触し合って、前記一対の分割コアからなる磁性体コアの中空部を塞ぐ一対の弾性部材を設け、
前記一対の弾性部材は、前記一対の分割ケースを閉じ合わせた時に互いに接触する合わせ面の部分が、前記一対の分割ケースを開放した状態では、前記一対の分割コアの分割面より突出した形状を有することを特徴とするケーブルブッシュ。
【請求項２】
前記弾性部材は、発泡樹脂，ゴム状樹脂，膠化体状樹脂のいずれかからなることを特徴とする請求項１に記載のケーブルブッシュ。
【請求項３】
前記弾性部材の前記合わせ面には、前記磁性体コアの軸方向に沿ってスリットが形成されていることを特徴とする請求項１又は２に記載のケーブルブッシュ。
【請求項４】
前記弾性部材の前記合わせ面には、前記磁性体コアの径方向に沿ってスリットが形成されていることを特徴とする請求項１〜３のいずれかに記載のケーブルブッシュ。
【請求項５】
前記弾性部材は、前記分割コアの分割面と隣接する部位が該分割面と略面一に形成されていることを特徴とする請求項１〜４のいずれかに記載のケーブルブッシュ。
【請求項６】
前記保持ケースは、
前記電線取出口より大径のフランジ部と、
前記電線取出口より小径の嵌挿部と、
前記嵌挿部の外周面上にて、前記フランジ部と共に前記電線取出口の周縁部を挟持する位置に突設され、且つ前記嵌挿部の内側方向への弾性を有する弾性片と、
を備えることを特徴とする請求項１〜５のいずれかに記載のケーブルブッシュ。
【発明の詳細な説明】
【技術分野】
【０００１】
本発明は、筐体内に形成された電線取出口に装着されるケーブルブッシュに関する。
【背景技術】
【０００２】
従来より、筐体の電線取出口に装着され、筐体内部で発生したノイズ（雑音電流）が電源ケーブルや信号ケーブル等の電線を介して外部に漏洩したり、外部で発生したノイズが電線を介して筐体内に侵入することを防止するノイズフィルタとしての機能を備えたケーブルブッシュが知られている。
【０００３】
この種のケーブルブッシュとして、具体的には、樹脂製のケーブルブッシュの内部に、環状の磁性体コアを埋め込んだもの（例えば、特許文献１参照。）や、ケーブルブッシュ自体を磁性材料にて構成したもの（例えば、特許文献２参照。）等がある。
【特許文献１】実開昭６２−１７２１９５号公報
【特許文献２】特開平９−１７６４６号公報
【発明の開示】
【発明が解決しようとする課題】
【０００４】
しかし、これらのように、硬質な材料である磁性体コア（磁性材料）によって電線を包囲させるように構成されたケーブルブッシュでは、磁性体コアと電線とを隙間なく密着させることが困難であり、両者の間に隙間が生じてしまうため、塵埃，虫，水滴など異物の侵入を、防ぐことができないという問題があった。
【０００５】
そこで本発明は、上記問題点を解決するために、ノイズ吸収性に加えて、防塵性，防滴性，防虫性に優れたケーブルブッシュを提供することを目的とする。
【課題を解決するための手段】
【０００６】
上記目的を達成するためになされた本発明は、電線の外周部を包囲する形状に形成された磁性体コアを、軸方向に沿って分割した形状を有する一対の分割コアと、該一対の分割コアをそれぞれ収納する一対の分割ケースを有し、該一対の分割ケースを閉じ合わせた状態では、前記一対の分割コアを電線の外周部を包囲する形状に保持する樹脂製の保持ケースとを備え、筐体から電線を取り出す電線取出口に装着して、前記電線に流れる雑音電流を吸収するケーブルブッシュにおいて、前記一対の分割コアのそれぞれに取り付けられ、前記一対の分割ケースを閉じ合わせた時に互いに接触し合って、前記一対の分割コアからなる磁性体コアの中空部を塞ぐ一対の弾性部材を設け、前記一対の弾性部材は、前記一対の分割ケースを閉じ合わせた時に互いに接触する合わせ面の部分が、前記一対の分割ケースを開放した状態では、前記一対の分割コアの分割面より突出した形状を有することを特徴とする。
【０００７】
なお、分割コアの分割面とは、分割コアを組み合わせて磁性体コアを形成した時に、分割コア同士が互いに接触する部位のことである。また、弾性部材の合わせ面の部分が分割コアの分割面より突出した形状を有するとは、換言すれば、磁性体コアの径方向に沿った断面に着目した場合、一対の弾性部材の合計断面積が、磁性体コアの中空部の断面積より大きいことを意味する。
【０００８】
このように構成された本発明のケーブルブッシュにおいて、電線は、磁性体コアを貫通するように配線され、しかも磁性体コアの中空部に設けられた弾性部材の間、即ち弾性部材同士の合わせ面に沿って配線される。
【０００９】
しかも、弾性部材は、一対の分割ケースを開放した状態では、互いの合わせ面の部分が分割コアの分割面より突出する形状を有しているため、一対の分割片を閉じ合わせた時に、弾性部材の変形量が大きくなり、合わせ面に配置された電線と密着しようとする強い付勢力が生じる。
【００１０】
つまり、本発明のケーブルブッシュによれば、磁性体コアがノイズフィルタとして作用するため、電線を介したノイズの漏洩，侵入を防止できると共に、弾性部材が電線の状態に応じて適宜変形し、電線に隙間無く密着するため、優れた防塵性，防滴性，防虫性を得ることができる。
【００１１】
なお、弾性部材としては、弾性に富む材料であれば良く、具体的には、発泡樹脂、ゴム状樹脂、膠化体（ゲル）状樹脂等が好適である。また、これに限らず、その他の発泡体や多孔質体を用いてもよい。
【００１２】
但し、発泡樹脂とは、高分子材料（クロロプレン，ネオプレン，ポリスチレン，サンプトプレン，ポリウレタン等）をスポンジ状に発泡させたものであり、ゴム状樹脂とは、高分子材料を主原料として常温でゴム状弾性を持ついわゆるエラストマー（例えばシリコーンゴムなど）を含む各種弾性ゴムのことである。また、膠着体（ゲル）状樹脂とは、ベースポリマーが三次元的な網目状組織を形成し、その網目状組織のなす間隙に流動性成分を包含して全体としての流動性を失った状態になっている樹脂材料のことである。
【００１３】
また、弾性部材の合わせ面には、磁性体コアの軸方向（換言すれば、磁性体コアを挿通する電線の挿通方向）に沿ってスリットを形成することが望ましい。この場合、弾性部材は、スリットにて分割された部分毎に独立した変形が可能であり、スリットがない場合と比較してより複雑な変形が可能となるため、電線への密着性をより高めることができる。
【００１４】
更に、弾性部材の合わせ面には、磁性体コアの径方向に沿ってスリットを形成してもよい。この場合、スリットにて分割された弾性部材の一方の側が、磁性体コアを挿通する電線によってめくり上げられるような状態となったとしても、スリットにて分割された弾性部材の他方の側は、これと一緒になって変形してしまう（めくり上げられてしまう）ことがなく、電線と弾性部材との間に隙間ができることを確実に防止できる。
【００１５】
また、弾性部材は、分割コアの分割面と隣接する部位が該分割面と略面一に形成されていることが望ましい。この場合、一対の分割ケースを閉じ合わせる時に、弾性部材の合わせ面の部分、即ち、分割コアの分割面より突出した部分が、分割コアの分割面に挟まれて分割コアの間に隙間ができ、ノイズ吸収性を低下させてしまうことを防止できる。
【００１６】
ところで、本発明のケーブルブッシュにおいて、保持ケースは、例えば、電線取出口より大径のフランジ部と、電線取出口より小径の嵌挿部と、嵌挿部の外周面上にて、フランジ部と共に電線取出口の周縁部を挟持する位置に突設され、且つ嵌挿部の内側方向への弾性を有する弾性片とからなるように構成してもよい。
【００１７】
このように構成された本発明のケーブルブッシュでは、弾性片を嵌挿部の内側方向に弾性変形させて、弾性片の突出部位を嵌挿部の外周面と略面一となる状態にすることにより、弾性片に妨げられることなく、嵌挿部を電線取出口に挿入することができる。そして、弾性片を形成した部位が電線取出口を通過した後に、弾性片の弾性変形を解除すると、弾性片は嵌挿部の外周面に突出して、フランジ部と共に電線取出口を挟持する。
【００１８】
従って、本発明のケーブルブッシュによれば、保持ケースを電線取出口に簡単に固定することができる。
また、嵌挿部を電線取出口に嵌挿させることで、一対の分割ケースは閉じた状態に保持されるため、分割ケースを閉じた状態に保持するための部材を別途設ける必要がなく、簡易な構成とすることができる。
【発明を実施するための最良の形態】
【００１９】
以下に本発明の実施形態を図面と共に説明する。
図１は、本発明が適用されたケーブルブッシュの使用形態を示す斜視図、図２は、ケーブルブッシュの内部構成を示す斜視図である。
【００２０】
図１に示すように、ケーブルブッシュ１は、電子機器等の筐体Ｋから電源ケーブルや信号ケーブル等の電線を取り出すために形成された円形の電線取出口Ｈに装着して使用されるものであり、電線取出口Ｈより大径の円筒形状に形成されたフランジ部３、及び電線取出口Ｈへの挿入が可能なように電線取出口Ｈと略同径の円筒形状に形成された嵌挿部５を有する保持ケース２と、フランジ部３に収納されるリング状の磁性体コア７（図２参照）とを備えている。なお、磁性体コア７の内径（中空部の直径）は、嵌挿部５の内径と同じ大きさに形成されており、これら磁性体コア７と嵌挿部５とによって、ケーブルブッシュ１の中央部には、電線を挿通するための電線挿通部８が形成されている。
【００２１】
更に、ケーブルブッシュ１は、電線挿通部８を形成する磁性体コア７の中空部を塞ぐように配置された一対の弾性部材９ａ，９ｂを備えている。
そして、ケーブルブッシュ１を構成する保持ケース２及び磁性体コア７は、図２に示すように、それぞれ、ケーブルブッシュ１の中心軸を通る平面にて２分割した形状を有する一対の分割ケース２ａ，２ｂ、及び一対の分割コア７ａ，７ｂにより構成されている。
【００２２】
以下では、分割コア７ａ，７ｂを組み合わせて磁性体コア７を形成した時に、分割コア７ａ，７ｂが互いに接触し合う部位を分割面７１ａ，７１ｂと呼び、分割コア７ａ，７ｂにおいて、電線挿通部８の内周壁（特に磁性体コア７の内周壁）に相当する部位を凹面７３ａ，７３ｂと呼ぶものとする。
【００２３】
そして、弾性部材９ａ，９ｂは、クロロプレンをスポンジ状に発泡させてなる発泡樹脂材料からなり、分割コア７ａ，７ｂの凹面７３ａ，７３ｂに接着されている。また、弾性部材９ａ，９ｂの形状は、単純な半円筒形ではなく、分割ケース２ａ，２ｂを閉じ合わせた時に互いに接触し合う合わせ面９１ａ，９１ｂの部分が、分割コア７ａ，７ｂの分割面７１ａ，７１ｂより突出した形状を有している。具体的には、弾性部材９ａ，９ｂの合わせ面９１ａ，９１ｂのうち、分割コア７ａ，７ｂの分割面７１ａ，７１ｂに隣接する部位（以下「平坦部位」と称する）Ｆは、分割面７１ａ，７１ｂと略面一に形成され、それ以外の部位（以下「突出部位」と称する）Ｇは、中心付近ほど分割面７１ａ，７１ｂからの突出量が多くなるように円弧状に形成されている。
【００２４】
更に、弾性部材９ａ，９ｂの合わせ面９１ａ，９１ｂには、図２中の点線で示すように、磁性体コア７の軸方向（図中Ｘ方向）に沿った複数本の縦スリットＳ１と、磁性体コア７の径方向（図中Ｙ方向）に沿った一本の横スリットＳ２とが形成されている。なお、各スリットＳ１，Ｓ２は、隙間のない単なる切り込みであってもよいし、隙間のある溝状のものであってもよい。
【００２５】
次に、図３は、保持ケース２の五面図、図４は図３におけるＡ−Ａ断面図及びＢ−Ｂ断面図である。なお、保持ケース２を構成する各部は、弾性を有する合成樹脂により一体成形されている。
【００２６】
図３，４に示すように、保持ケース２を構成する分割ケース２ａ，２ｂのうち、フランジ部３を形成する部分（以下「分割フランジ部」と称する）３ａ，３ｂの外周面には、分割ケース２ａ，２ｂを開閉自在に連結するヒンジ部２１が形成され、また、ヒンジ部２１により連結されていない側の分割フランジ部３ａ，３ｂの外周面には、分割フランジ部３ａ側に設けられた雄側係合部２２、及び分割フランジ部３ｂ側に設けられた雌側係合部２３からなる係合機構が形成されている。
【００２７】
なお、雄側係合部２２は、分割フランジ部３ａの外周面に沿って突出した突起からなり、一方、雌側係合部２３は、雄側係合部２２を挿入可能な係合孔からなる。そして、これら雄側係合部２２及び雌側係合部２３からなる係合機構は、分割ケース２ａ，２ｂを閉じ合わせた時に互いに係合することで、分割コア７ａ，７ｂの分割面７１ａ，７１ｂに沿った位置ずれを防止し、分割ケース２ａ，２ｂ及び分割コア７ａ，７ｂを最適な合わせ位置に保持する。
【００２８】
また、分割フランジ部３ａ，３ｂの外周面には、分割ケース２ａ，２ｂを閉じ合わせた状態にした時に、分割フランジ部３ａ，３ｂに収納された分割コア７ａ，７ｂを、互いの分割面９１ａ，９１ｂが密着する方向に付勢する舌片状の付勢機構２４が２個ずつ形成されている。
【００２９】
また、分割ケース２ａ，２ｂにおいて、分割コア７ａ，７ｂからなる磁性体コア７の端面（外周面，内周面以外の面）と接触する部位に位置する端壁２７の内壁面には、係合突起２５が突設されている。そして、分割コア７ａ，７ｂの端面にも、分割コア７ａ，７ｂを分割ケース２ａ，２ｂに収納した時に、係合突起２５と係合する凹部（図示せず）が形成されており、分割ケース２ａ，２ｂを開放した状態でも、分割コア７ａ，７ｂが分割ケース２ａ，２ｂから脱落することがないようにされている。
【００３０】
次に、分割ケース２ａ，２ｂのうち、嵌挿部５を形成する部分（以下「分割嵌挿部」と称する）５ａ，５ｂには、フランジ部３（分割フランジ部３ａ，３ｂ）側が自由端となるように３方向を切り欠いてなる舌片状の形状を有した弾性片２６が形成されている。この弾性片２６は、当該弾性片２６の固定端から自由端に向けて、分割嵌挿部５ａ，５ｂの外周面からの突出量が徐々に大きくなるように形成されている。また、弾性片２６の突出部分とフランジ部３との間の間隔は、筐体Ｋの電線取出口Ｈが形成された部分の肉厚と略同じとなるように形成されている。
【００３１】
このように構成された弾性片２６は、嵌挿部５の内側方向への弾性を有しており、弾性変形させることによって、嵌挿部５の外周面からの突出部分を外周面と略面一となる状態まで押し込むことができる。
【００３２】
このように構成されたケーブルブッシュ１は、次のようにして、筐体Ｋの電線取出口Ｈに取り付けられる。
即ち、まず、弾性部材９ａ，９ｂを凹面７３ａ，７３ｂに接着した分割コア７ａ，７ｂを、分割フランジ部３ａ，３ｂに収納し（図２参照）、雄側係合部２２を雌側係合部２３に係合させるようにして、分割ケース２ａ，２ｂを閉じ合わせる。この時、分割コア７ａ，７ｂは、環状に組み合わされ、しかも、付勢機構２４によって、分割面７１ａ，７１ｂが互いに密着する方向に付勢される。また、弾性部材９ａ，９ｂは、合わせ面９１ａ，９１ｂが互いに接触して変形し、互いに押圧し合った状態で接触する。
【００３３】
このように分割ケース２ａ，２ｂを閉じ合わせた状態（図１参照）を保持しながら、嵌挿部５を  電線取出口Ｈに挿入し、フランジ部３が筐体Ｋに当接するまで押し込む。
この時、弾性片２６は、電線取出口Ｈの開口縁部に当接することで押圧され、嵌挿部５の外周面と略面一となるように弾性変形することにより電線取出口Ｈを通過する。そして、電線取出口Ｈを通過して押圧が解除されると、フランジ部３と共に、電線取出口Ｈの周縁部を挟持する。
【００３４】
これにより、ケーブルブッシュ１は、分割ケース２ａ，２ｂが閉じた状態のままで電線取出口Ｈに固定され、この電線取出口Ｈに固定されたケーブルブッシュ１を介して  電源ケーブルや信号ケーブル等の電線は、筐体Ｋに引き込まれることになる。
【００３５】
なお、ケーブルブッシュ１は、図２に示す状態で、電線を弾性部材９ａ，９ｂに載置し、分割ケース２ａ，２ｂを閉じ合わせた後、即ち、ケーブルブッシュ１に電線を挿通させた状態にした後、電線取出口Ｈに装着してもよいし、電線取出口Ｈに装着してから、弾性部材９ａ，９ｂの合わせ面９１ａ，９１ｂの間に電線を挿通させるようにしてもよい。
【００３６】
以上説明したように、本実施形態のケーブルブッシュ１が装着された電線取出口Ｈを介して配線される電線は、分割コア７ａ，７ｂからなる磁性体コア７を貫通し、しかも、電線挿通部８（特に磁性体コア７の中空部）を塞ぐように配設された弾性部材９ａ，９ｂの合わせ面９１ａ，９１ｂに沿って配線される。
【００３７】
従って、本実施形態のケーブルブッシュ１によれば、磁性体コア７がノイズフィルタとして作用するため、電線を介したノイズの漏洩，侵入を防止できると共に、弾性部材９ａ，９ｂが電線の状態に応じて変形し、電線に隙間無く密着するため、優れた防塵性，防滴性，防虫性を得ることができる。
【００３８】
しかも、本実施形態では、弾性部材９ａ，９ｂの合わせ面９１ａ，９１ｂが互いに押圧し合う状態に保持されるのに加えて、その合わせ面９１ａ，９１ｂには、スリットＳ１，Ｓ２が形成されている。このため、弾性部材９ａ，９ｂは、常に全体が連動して変形するのではなく、スリットＳ１，Ｓ２によって分割された部分毎に、ある程度独立した変形が可能となり、より複雑な変形が可能となるため、電線の配線状態や電線の形状や大きさによらず、常に高い密着性を確保することができる。
【００３９】
具体的には、例えば、図５に示すように、電線Ｃの一端側にて、弾性部材９ａ，９ｂの部分Ｐ１ａ，Ｐ１ｂが電線Ｃによってめくり上げられるような状態となったとしても、横スリットＳ２にて分割された他端側の弾性部材９ａ，９ｂの部分Ｐ２ａ，Ｐ２ｂは、部分Ｐ１ａ，Ｐ１ｂと一体になって変形することがないため、電線Ｃと弾性部材９ａ，９ｂとの間に隙間が生じることを確実に防止できるのである。
【００４０】
また、本実施形態では、弾性部材９ａ，９ｂの合わせ面９１ａ，９１ｂにおいて、分割コア７ａ，７ｂの分割面７１ａ，７１ｂと隣接する部位に、その分割面７１ａ，７１ｂと略面一となる部位Ｆが形成されているため、分割ケース２ａ，２ｂを閉じ合わせる時に、弾性部材９ａ，９ｂの合わせ面９１ａ，９１ｂの一部分が、分割コア７ａ，７ｂの分割面７１ａ，７１ｂに挟まれて分割コア７ａ，７ｂの間に隙間を生じさせ、当該ケーブルブッシュ１のノイズ吸収性を低下させてしまうことを防止できる。
【００４１】
以上、本発明の一実施形態について説明したが、本発明は上記実施形態に限定されるものではなく、様々な態様にて実施することが可能である。
例えば、上記実施形態では、弾性部材９ａ，９ｂを、電線挿通部８のうち、磁性体コア７の中空部にのみ配置したが、嵌挿部５の中空部にも配置するようにしてもよい。
【００４２】
また、上記実施形態では、ケーブルブッシュ１を電線取出口Ｈに固定するための固定機構として、嵌挿部５の外周面に形成されフランジ部３と共に電線取出口Ｈの周縁部を挟持する弾性片２６を用いたが、例えば、嵌挿部５の外周面にネジ山を形成し、このネジ山と螺合するように構成されたナット状の部材を用いてもよい。
【図面の簡単な説明】
【００４３】
【図１】ケーブルブッシュの使用形態を示す斜視図である。
【図２】ケーブルブッシュの内部構成を示す斜視図である。
【図３】ケーブルブッシュを構成する保持ケースの五面図である。
【図４】図３におけるＡ−Ａ断面図、及びＢ−Ｂ断面図である。
【図５】弾性部材の合わせ面にスリットが形成されていることによる効果を示す説明図である。
【符号の説明】
【００４４】
１…ケーブルブッシュ、２…保持ケース、２ａ，２ｂ…分割ケース、３…フランジ部、３ａ，３ｂ…分割フランジ部、５…嵌挿部、５ａ，５ｂ…分割嵌挿部、７…磁性体コア、７ａ，７ｂ…分割コア、８…電線挿通部、９ａ，９ｂ…弾性部材、２１…ヒンジ部、２２…雄側係合部、２３…雌側係合部、２４…付勢機構、２５…係合突起、２６…弾性片、２７…端壁、７１ａ，７１ｂ…分割面、７３ａ，７３ｂ…凹面、９１ａ，９１ｂ…合わせ面、Ｆ…合わせ面の平坦部位、Ｇ…合わせ面の突出部位。Ｃ…電線、Ｈ…電線取出口、Ｋ…筐体、Ｐ１ａ，Ｐ２ａ，Ｐ１ｂ，Ｐ２ｂ…スリットによる弾性部材の分割部分、Ｓ１…縦スリット、Ｓ２…横スリット。
【図１】
2006049705.tif 000003
【図２】
2006049705.tif 000004
【図３】
2006049705.tif 000005
【図４】
2006049705.tif 000006
【図５】
2006049705.tif 000007